(57)【特許請求の範囲】
【請求項１】
ケース内に電気部品を収容してなる電気接続箱であって、
前記ケースは、上下方向に立設された周壁を有する下ケースと、前記下ケースに上方から組み付けられる上ケースと、を備え、
前記上ケースの下端には、前記周壁の上端部に外嵌される外壁が上下方向に立設されており、前記上ケースには前記外壁が水平方向について屈曲する屈曲部が形成されており、前記屈曲部に対応する位置には前記周壁と前記外壁とに囲まれた屈曲空間が形成されており、
前記周壁と前記外壁との間には公差に基づく公差隙間が形成されており、前記周壁及び前記外壁の双方又は一方には、前記外壁の下端縁より上方の位置に、前記周壁と前記外壁との間隔が前記公差隙間よりも広く形成されると共に前記公差隙間に浸入した水を流通可能な第１流路が上下方向と交差する方向に延びると共に前記屈曲空間に連通して形成されており、
前記屈曲空間を形成する前記周壁及び前記外壁の双方又は一方には前記屈曲空間と外部とを連通する流出口が下方に開口して形成されていることを特徴とする電気接続箱。
【請求項２】
前記電気部品は、前記上ケースのうち、前記周壁に前記外壁が外嵌する部分よりも上方の位置に配されていることを特徴とする請求項１に記載の電気接続箱。
【請求項３】
前記屈曲空間における前記周壁と前記外壁との間隔は、前記第１流路における前記周壁と前記外壁との間隔よりも広く形成されていることを特徴とする請求項１または請求項２に記載の電気接続箱。
【請求項４】
前記流出口における前記周壁と前記外壁との間隔は、前記屈曲空間における前記周壁と前記外壁との間隔よりも狭く形成されていることを特徴とする請求項１ないし請求項３のいずれか一項に記載の電気接続箱。
【請求項５】
前記上ケースの下端には、前記周壁の上端部に内嵌する内壁が形成されており、前記外壁と前記内壁とに囲まれた領域は下方に開口すると共に前記周壁の上端部が収容される溝部とされていることを特徴とする請求項１ないし請求項４のいずれか一項に記載の電気接続箱。
【請求項６】
前記屈曲部に対応する領域において、前記内壁は前記周壁の肉厚方向内方から前記周壁と密着していることを特徴とする請求項５に記載の電気接続箱。
【請求項７】
前記溝部と前記周壁の上端部との間には、前記溝部と前記周壁の上端部との間隔が前記公差隙間よりも広く形成されてなると共に前記公差隙間に浸入した水を流通可能な第２流路が上下方向と交差する方向に延びて形成されており、前記第２流通路は、前記屈曲空間と連通していることを特徴とする請求項５または請求項６に記載の電気接続箱。
【請求項８】
前記屈曲空間において、前記周壁の上端部は前記溝部の天井面に下方から当接することを特徴とする請求項５ないし請求項７のいずれか一項に記載の電気接続箱。
【発明の詳細な説明】
【技術分野】
【０００１】
本発明は、車両に搭載される電気接続箱に関する。
【背景技術】
【０００２】
従来、車両に搭載される電気接続箱として、特許文献１に記載のものが知られている。図１４に示すように、この電気接続箱は、ケース９０内に電気部品（図示せず）を収容してなる。ケース９０は、上方に開口する下ケース９１と、この下ケース９１の上部に取り付けられる上ケース９２と、を備える。上ケース９２の周壁９２Ａの下縁部は、下ケース９１の周壁９１Ａの上縁部に外嵌されている。これにより、上ケース９２の周壁９２Ａの下縁部と、下ケース９１の周壁９１Ａの上縁部とは、両ケース９１，９２の周壁９１Ａ，９２Ａの肉厚方向について重なり合う構成となっている。この結果、両ケース９１，９２の嵌合部分から水が浸入することを抑制できると期待された。
【先行技術文献】
【特許文献】
【０００３】
【特許文献１】特開２０１０−４１７７８号公報
【発明の概要】
【発明が解決しようとする課題】
【０００４】
しかしながら、上記の構成に係る電気接続箱においては、上ケース９２の周壁９２Ａと下ケース９１の周壁９１Ａとの間には、組み付け公差、又は寸法公差に基づく隙間９３が形成されている。車両を高圧洗浄機によって洗浄すると、比較的に高圧の水が、上ケース９２の周壁９２Ａと下ケース９１の周壁９１Ａとの隙間９３からケース９０内に浸入することが懸念される（矢線Ｓ参照）。
【０００５】
上記の問題を解決するために、上ケース９２の周壁９２Ａと下ケース９１の周壁９１Ａとの隙間９３にパッキンを嵌着することが考えられるが、製造コストが増加するという問題がある。
【０００６】
そこで、水の浸入を防ぐために、上ケース９２の周壁９２Ａと下ケース９１の周壁９１Ａとの隙間９３を狭くすることが考えられた。しかしながら隙間９３を狭くしても、上ケース９２の周壁９２Ａと下ケース９１の周壁９１Ａとの間に水が浸入することを完全に抑制することは困難であった。更に、比較的に狭い隙間９３に水が入り込んだ場合、隙間９３を通り抜けた水は、ケース９０内という比較的に広い空間へと流れ込むので、上記の隙間９３からケース９０内に、飛散してしまうことが懸念される（矢線Ｔ参照）。この結果、電気接続箱の防水性が低下することが懸念される。
【０００７】
本発明は上記のような事情に基づいて完成されたものであって、ケース内へ水が飛散することが抑制された電気接続箱を提供することを目的とする。
【課題を解決するための手段】
【０００８】
本発明は、ケース内に電気部品を収容してなる電気接続箱であって、前記ケースは、上下方向に立設された周壁を有する下ケースと、前記下ケースに上方から組み付けられる上ケースと、を備え、前記上ケースの下端には、前記周壁の上端部に外嵌される外壁が上下方向に立設されており、前記上ケースには前記外壁が水平方向について屈曲する屈曲部が形成されており、前記屈曲部に対応する位置には前記周壁と前記外壁とに囲まれた屈曲空間が形成されており、前記周壁と前記外壁との間には公差に基づく公差隙間が形成されており、前記周壁及び前記外壁の双方又は一方には、前記外壁の下端縁より上方の位置に、前記周壁と前記外壁との間隔が前記公差隙間よりも広く形成されると共に前記公差隙間に浸入した水を流通可能な第１流路が上下方向と交差する方向に延びると共に前記屈曲空間に連通して形成されており、前記屈曲空間を形成する前記周壁及び前記外壁の双方又は一方には前記屈曲空間と外部とを連通する流出口が下方に開口して形成されていることを特徴とする。
【０００９】
本発明によれば、比較的に高圧の水が周壁と外壁との嵌合部分に当たると、水は、周壁と外壁との間に形成された公差隙間に浸入する。続いて水は公差隙間内を上昇して第１流路に達する。水が第１流路に達すると、水は第１流路の内面と衝突する。すると、比較的に高圧の水は、第１流路の内面に衝突した後、第１流路の内面に沿って流れる。
【００１０】
第１流路は屈曲空間に連通しているので、水は第１流路から屈曲空間内へと流れ込む。屈曲部においては、外壁は水平方向について屈曲しているので、屈曲空間内へと流れ込んだ水は、外壁のうち、屈曲することによって第１流路と交差する部分と衝突する。
【００１１】
外壁は上下方向に立設されているので、外壁に衝突した水は、外壁に沿う方向であって、且つ上下方向の圧力を受ける。そして、外壁に衝突した水のうち下向きの圧力を受けた水は、屈曲空間に下方に開口して形成された流出口からケース外に流出する。
【００１２】
このように、本発明によれば、比較的に高圧の水を、外壁と周壁との隙間から第１流路を経て屈曲部へと案内した後、流出口からケース外に流出させることができる。これにより、ケース内に水が飛散することを抑制できる。
【００１３】
本発明の実施態様としては以下の態様が好ましい。
前記電気部品は、前記上ケースのうち、前記周壁に前記外壁が外嵌する部分よりも上方の位置に配されていることが好ましい。
【００１４】
上記の態様によれば、周壁に外壁が外嵌する部分よりも上方の位置に電気部品が配されているので、電気部品に水が付着することを確実に抑制できる。
【００１５】
前記屈曲空間における前記周壁と前記外壁との間隔は、前記第１流路における前記周壁と前記外壁との間隔よりも広く形成されていることが好ましい。
【００１６】
上記の態様によれば、第１流路における周壁と外壁との間隔よりも、屈曲部と対応する領域における周壁と外壁との間隔が広く設定されているので、屈曲空間内に流れ込んだ水の圧力は、第１流路を流れる水の圧力と比べて小さくなる。これにより、水は屈曲空間内に滞留する。
【００１７】
一方、比較的に高圧の水が下ケースの周壁の外側面に噴射されると、その水は、跳ね返ることなく、周壁の外側面に沿って流れる。すると、流出口の近傍において、周壁の外側面に沿って流れる水の流速は、屈曲空間内に滞留する水の流速に比べて速くなる。この結果、流出口の内外において、周壁の外側面に沿って流れる水の圧力が、屈曲空間内に滞留する水の圧力よりも低くなる。すると、屈曲空間内に滞留していた水が、流出口から、圧力の低い外部へ流出しやすくなる。これにより、ケース内に水が飛散することを更に抑制できる。
【００１８】
前記流出口における前記周壁と前記外壁との間隔は、前記屈曲空間における前記周壁と前記外壁との間隔よりも狭く形成されていることが好ましい。
【００１９】
上記の態様によれば、流出口から水がケース内に入り込むことを抑制できる。
【００２０】
前記上ケースの下端には、前記周壁の上端部に内嵌する内壁が形成されており、前記外壁と前記内壁とに囲まれた領域は下方に開口すると共に前記周壁の上端部が収容される溝部とされていることが好ましい。
【００２１】
上記の態様によれば、周壁と外壁との隙間に浸入した水が、周壁の上端部を越えて更にケース内に浸入した場合でも、水は、内壁によってそれ以上ケース内に浸入することを抑制される。これにより、電気接続箱の防水性を向上させることができる。
【００２２】
前記屈曲部に対応する領域において、前記内壁は前記周壁の肉厚方向内方から前記周壁と密着していることが好ましい。
【００２３】
屈曲空間内に流れ込んだ水は、外壁に衝突することにより圧力の方向が変化する。このため、場合によっては、ケース内に水が浸入する方向の圧力が大きくなることが懸念される。上記の態様によれば、屈曲空間内において、ケース内に浸入する方向について水の圧力が大きくなった場合でも、内壁が周壁と密着しているので、水がケース内に浸入することを確実に抑制することができる。
【００２４】
前記溝部と前記周壁の上端部との間には、前記溝部と前記周壁の上端部との間隔が前記公差隙間よりも広く形成されてなると共に前記公差隙間に浸入した水を流通可能な第２流路が上下方向と交差する方向に延びて形成されており、前記第２流通路は、前記屈曲空間と連通していることが好ましい。
【００２５】
上記の態様によれば、公差隙間からケース内に浸入して周壁の上端部にまで上昇した水は、第２流路に達する。その後、水は、第２流路の内面に衝突して、第２流路の内面に沿って流れる。第２流路は屈曲空間に連通しているので、水は第２流路から屈曲空間内へと流れ込む。その後、水は流出口からケース外に流出する。これにより、ケース内に水が飛散することを更に抑制できる。
【００２６】
前記屈曲空間において、前記周壁の上端部は前記溝部の天井面に下方から当接することが好ましい。
【００２７】
屈曲空間内に流れ込んだ水は、外壁に衝突することにより圧力の方向が変化する。このため、場合によっては、ケース内に水が浸入する方向の圧力が大きくなることが懸念される。上記の態様によれば、屈曲空間内において、ケース内に浸入する方向について水の圧力が大きくなった場合でも、周壁の上端部が溝部の天井面と密着しているので、水がケース内に浸入することを確実に抑制することができる。
【発明の効果】
【００２８】
本発明によれば、電気接続箱のケース内へ水が飛散することを抑制できる。
【図面の簡単な説明】
【００２９】
【図１】本発明の実施形態１に係る電気接続箱を示す要部拡大正面図
【図２】電気接続箱を示す要部拡大断面図
【図３】上ケースと下ケースとの組み付け構造の一例を示す要部拡大正面図
【図４】上ケースと下ケースとを示す要部拡大正面図
【図５】下ケースを示す平面図
【図６】上ケースを示す底面図
【図７】図９におけるＶＩＩ−ＶＩＩ線断面図
【図８】図９におけるＶＩＩＩ−ＶＩＩＩ線断面図
【図９】図１におけるＩＸ−ＩＸ線断面図
【図１０】図８におけるＸ−Ｘ線断面図
【図１１】図８におけるＸＩ−ＸＩ線断面図
【図１２】図８におけるＸＩＩ−ＸＩＩ線断面図
【図１３】実施形態２に係る電気接続箱を示す要部拡大断面図
【図１４】従来技術を示す要部拡大断面図
【発明を実施するための形態】
【００３０】
＜実施形態１＞
本発明を車両用の電気接続箱１０に適用した実施形態１について、図１ないし図１２を参照しつつ説明する。本実施形態に係る電気接続箱１０は、図示しない電源と、ヘッドランプ、モータ等の車載電装品（図示せず）の間に配設されて、車載電装品のスイッチングを実行する。電気接続箱１０は、例えば、図示しない車両のエンジンルーム内に配設される。電気接続箱１０は、ケース１１と、このケース１１内に収容される電気部品１２と、を備える。以下の説明においては、図１における上方を上方とし、下方を下方とする。
【００３１】
（全体構造）
ケース１１は、合成樹脂製であって、上方に開口する下ケース１３と、この下ケース１３に上方から組み付けられる上ケース１４と、を備える。下ケース１３は合成樹脂製であって、上下方向に立設する周壁１５を有する。本実施形態においては、下ケース１３は、周壁１５の下端部に形成された底壁１６によって塞がれている。
【００３２】
上ケース１４は、上下方向に立設された側壁１７を有する。側壁１７の下端部には、合成樹脂製であって、周壁１５の上端縁に外嵌すると共に、上下方向に立設された外壁１８が設けられている。
【００３３】
上ケース１４の内部には、周壁１５に外壁１８が外嵌する部分よりも上方の位置に、電気部品１２が収容されている。電気部品１２は、上ケース１４の側壁１７に設けられた配設部１９に配設されている。配設部１９は、例えば、上ケース１４に一体に形成される構成としてもよい。また、配設部１９は、合成樹脂により上ケース１４と別体に形成されて、上ケース１４の内部にボルト締め等の公知の手段により取り付けられる構成としてもよい。また、配設部１９としてプリント基板を用い、電気部品１２が実装されたプリント基板を上ケース１４内に収容してもよい。電気部品１２は、必要に応じて任意の手段によりケース１１内に収容される。
【００３４】
電気部品１２としては、例えば、コネクタ、ヒューズ、機械式リレー、半導体リレー、抵抗、コンデンサ等、必要に応じて任意の電気部品１２を用いることができる。
【００３５】
上ケース１４と下ケース１３とは公知の手法により組み付けることができる。図３に、上ケース１４と下ケース１３との組み付け構造の一例を示す。上ケース１４の側壁１７の外側面には外方に突出するロック部２０が設けられている。下ケース１３の周壁１５の外側面には、ロック部２０に対応する位置に、ロック部２０と弾性的に係合するロック受け部２１が設けられている。下ケース１３に対して上ケース１４を上方から組み付けると、下ケース１３のロック受け部２１が上ケース１４のロック部２０に乗り上げ、更に上ケース１４を下方に移動させるとロック受け部２１が復帰変形し、ロック受け部２１がロック部２０に対して上方から係合するようになっている。これにより、上ケース１４と下ケース１３とが一体に組み付けられるようになっている。
【００３６】
なお、下ケース１３にロック受け部２１を設け、上ケース１４にロック部２０を設ける構成としてもよい。また、上ケース１４と下ケース１３との組み付け手段としてはボルト締め等、任意の手段を用いることができる。
【００３７】
本実施形態においては、下ケース１３は底壁１６によって塞がれる構成としたが、これに限られず、下ケース１３は下方に開口する構成とし、下ケース１３の下方から図示しない下カバーを組み付けて下ケース１３の開口を塞ぐ構成としてもよい。
【００３８】
また、上ケース１４の上部は、側壁１７の上端部に図示しない上壁を設けて、この上壁によって上ケース１４の上面を塞ぐ構成としてもよい。また、上ケース１４の上方を開口し、この開口に上方から図示しない上カバーを組み付けることにより開口を塞ぐ構成としてもよい。
【００３９】
（上ケース１４と下ケース１３との嵌合構造）
図２に示すように、下ケース１３の周壁１５の上端部寄りの位置には、周壁１５の肉厚方向について外方に突出する突部２２が環状に形成されている。外壁１８は、下ケース１３と上ケース１４とが組み付けられた状態で、突部２２の上方に位置する第１外壁２３と、突部２２よりも周壁１５の肉厚方向について外側に位置する第２外壁２４と、を備える。第２外壁２４は、第１外壁２３に対して、第１外壁２３の肉厚方向について外方にオフセットされて形成されている。図７に示すように、第２外壁２４の下端部は、突部２２よりも僅かに下方に位置するように形成されている。
【００４０】
図７に示すように、上ケース１４の側壁１７の下端部には、周壁１５の上端部に内嵌する内壁２５が形成されている。内壁２５は、側壁１７の下端部に対して、側壁１７の肉厚方向について内方にオフセットされて形成されている。外壁１８と内壁２５とに囲まれた領域は、周壁１５の上端部を収容する溝部２６とされている。溝部２６は下方に開口して形成されている。
【００４１】
図６に示すように、上ケース１４には、外壁１８が水平方向（図６において紙面に沿う方向）について屈曲する屈曲部２７が形成されている。本実施形態においては、外壁１８は略直角に屈曲している。詳細に説明すると、外壁１８は、屈曲部２７において、僅かに曲面形状に形成されて、いわゆるアール状に形成されている。上ケース１４は、上下方向（図６において紙面を貫通する方向）から見て略正方形状をなしており、屈曲部２７は上ケース１４の四隅部に形成されている。
【００４２】
図４に示すように、内壁２５のうち、屈曲部２７に対応する位置に形成された領域は、下方に突出して形成されており、下ケース１３に上方から（図４における矢線Ａの示す方向）上ケース１４を組み付ける際に、上ケース１４を正規位置に案内するガイド部２８とされる。図７に示すように、内壁２５のうち、ガイド部２８と異なる領域の下端部の高さ位置は、第１外壁２３の下端部の高さ位置と略整合する位置に形成されている。また、図８に示すように、ガイド部２８の下端部の高さ位置は、第２外壁２４の下端部の高さ位置よりも下方に位置して形成されている。
【００４３】
図６に示すように、内壁２５は、屈曲部２７に対応する領域において水平方向（図６において紙面に沿う方向）について屈曲して形成されている。内壁２５は、屈曲部２７に対応する領域おいて、外壁１８よりも緩やかな曲面形状を有して屈曲している。
【００４４】
（公差隙間２９）
図７に示すように、下ケース１３の周壁１５と、上ケース１４の外壁１８との間には、下ケース１３の寸法公差、上ケース１４の寸法公差、及び下ケース１３と上ケース１４との組み付け公差等に基づく公差隙間２９が形成されている。周壁１５と外壁１８との間に形成された公差隙間２９としては、突部２２の先端と第２外壁２４との間に形成された公差隙間２９Ａ、周壁１５と第１外壁２３との間に形成された公差隙間２９Ｂ、及び周壁１５と内壁２５との間に形成された公差隙間２９Ｃが挙げられる。
【００４５】
（第１流路３０）
図７に示すように、周壁１５と外壁１８との間には、外壁１８（第２外壁２４）の下端部より上方の位置に、周壁１５と外壁１８との間隔が公差隙間２９Ａ，２９Ｂよりも広く設定された第１流路３０が形成されている。本実施形態においては、第１流路３０は、周壁１５と、突部２２の上面と、第２外壁２４と、第１外壁２３の下端部とに囲まれた空間に形成されている。第１流路３０は、上下方向と公差する方向（図７における紙面を貫通する方向）に延びて形成されている。本実施形態においては、第１流路３０は水平方向に延びて形成されている。この第１流路３０は、突部２２と周壁１５との間に形成された公差隙間２９Ａから、上方に浸入した水を流通可能になっている（矢線Ｂ参照）。
【００４６】
（屈曲空間３１）
図９に示すように、屈曲部２７に対応する位置には、周壁１５と外壁１８とに囲まれた屈曲空間３１が形成されている。この屈曲空間３１においては、外壁１８は水平方向（図９において紙面に沿う方向）について屈曲している。また、下ケース１３の周壁１５は、屈曲部２７に対応する領域において水平方向について屈曲して形成されている。周壁１５の曲面形状と、内壁２５の曲面形状は、略整合するように形成されている。また、図９に示すように、第１流路３０は、屈曲空間３１に連通して形成されている。
【００４７】
図１１に示すように、屈曲部２７に対応する領域において、周壁１５は、外壁１８よりも緩やかな曲面形状を有して屈曲している。これにより、屈曲部２７に対応する領域において、周壁１５と第２外壁２４との間隔Ｏは、第１流路３０における周壁１５と第２外壁２４との間隔Ｎよりも広く形成されている。
【００４８】
また、図１２に示すように、屈曲部２７に対応する領域において、周壁１５と第１外壁２３との間隔Ｐは、周壁１５と第１外壁２３との間に形成された公差隙間２９Ｂよりも広く形成されている。
【００４９】
（第２流路３２）
図７に示すように、溝部２６と、周壁１５の上端部との間には、溝部２６と周壁１５の上端部との間隔が、周壁１５と第１外壁２３との間に形成された公差隙間２９Ｂ、及び周壁１５と内壁２５との間に形成された公差隙間２９Ｃよりも広く形成された第２流路３２が形成されている。第１流路３０は、上下方向と公差する方向（図７における紙面を貫通する方向）に延びて形成されている。本実施形態においては、第２流路３２は水平方向に延びて形成されている。この第２流路３２は、周壁１５と第１外壁２３との間に形成された公差隙間２９Ｂから浸入した水を流通可能になっている。また、第２流路３２は、上記した屈曲空間３１に連通して形成されている。
【００５０】
（流出口３３）
図８に示すように、屈曲空間３１においては、周壁１５と外壁１８との間に、屈曲空間３１と、ケース１１の外部とを連通する流出口３３が下方に開口して形成されている。本実施形態においては、流出口３３は、突部２２の突出端部と、第２外壁２４との間に形成されている。屈曲空間３１内にンガれ込んだ水は、流出孔３３から下方に流出されるようになっている（矢線Ｃ参照）。
【００５１】
図１０に示すように、流出口３３における周壁１５（突部２２）と第２外壁２４との間隔Ｍは、周壁１５と外壁１８との間に形成された公差隙間２９よりも広く設定されている。本実施形態においては、流出口３３における突部２２の突出端部が、第２外壁２４に比べて、緩やかな曲面形状に屈曲して形成されている。これにより、流出口３３における突部２２の突出端部と、第２外壁２４との間隔Ｍは、突部２２の突出端部と第２外壁２４との間に形成された公差隙間２９Ａよりも広く形成されている。
【００５２】
また、図１１に示すように、流出口３３における周壁１５（突部２２）と第２外壁２４との間隔Ｍは、屈曲空間３１における周壁１５と第２外壁２４との間隔Ｏよりも狭く設定されている。本実施形態においては、屈曲空間３１における周壁１５は、屈曲空間３１における外壁１８に比べて、緩やかな曲面形状に屈曲して形成されている。これにより、流出口３３における突部２２の突出端部と、第２外壁２４との間隔Ｍは、屈曲空間３１における周壁１５と第２外壁２４との間隔Ｏよりも狭く形成されている。
【００５３】
（止水構造）
図８に示すように、屈曲部２７に対応する領域においては、内壁２５は、周壁１５の肉厚方向について内方から、周壁１５と密着するようになっている。更に、屈曲部２７に対応する領域においては、周壁１５の上端部は、溝部２６の天井面３４に下方から当接するようになっている。
【００５４】
（作用、効果）
続いて、本実施形態の作用、効果について説明する。車両のエンジンルーム内を高圧洗浄すると、エンジンルーム内に配設された電気接続箱１０に、比較的に高圧の水が噴射される。このとき、比較的に高圧の水が、上ケース１４と下ケース１３との嵌合部分に直接に当たる場合がある。すると、水は、周壁１５の突部２２と、第２外壁２４との間に形成された公差隙間２９Ａの内部に浸入する。続いて、水は、この公差隙間２９Ａ内を上昇して第１流路３０に達する。水が第１流路３０に達すると、水は、第１流路３０の内面と衝突する。詳細には、水は、突部２２の上面、周壁１５、第２外壁２４、及び第１外壁２３の下端部と衝突する。すると、比較的に高圧の水は、跳ね返ることなく、第１流路３０の内面に沿って流れる。この第１流路３０は、水平方向（図７における紙面を貫通する方向）に延びて形成されて屈曲空間３１に連通しているので、水は、屈曲空間３１内へと流れ込む。
【００５５】
屈曲空間３１においては、第１流路３０を構成する第２外壁２４が水平方向について屈曲しているので、第２外壁２４には、第１流路３０と公差する領域が形成される。屈曲空間３１内に流れ込んだ水は、第１流路３０と公差する第２外壁２４と衝突する。第２外壁２４は上下方向に立設されているので、第２外壁２４と衝突した水には、第２外壁２４に沿う方向であって、且つ上下方向の圧力を受ける。そして、第２外壁２４と衝突した水のうち、下向きの圧力を受けた水は、屈曲空間３１において、突部２２の突出端部と第２外壁２４との間に、下方に開口して形成された流出口３３からケース１１外へと流出する。このように本実施形態に係る電気接続箱１０においては、ケース１１内に浸入しようとする水の圧力を利用することにより、ケース１１外へ水を排出させることができる。
【００５６】
上記のように、本実施形態によれば、比較的に高圧の水を、第２外壁２４と突部２２との間に形成された公差隙間２９Ａから第１流路３０を経て屈曲部２７へと案内した後、流出口３３からケース１１外に流出させることができる。これにより、ケース１１内に水が飛散することを抑制できる。
【００５７】
また、本実施形態においては、流出口３３における突部２２と第２外壁２４との間隔Ｍは、突部２２と第２外壁２４との間に形成された公差隙間２９Ａよりも広く形成されている。これにより、水を、流出口３３から効率よくケース１１外に排出させることができる。
【００５８】
更に、本実施形態においては、溝部２６と周壁１５の上端部との間には、溝部２６と周壁１５の上端部との間隔が公差隙間２９Ｂ，２９Ｃよりも広く形成されてなると共に公差隙間２９Ｂに浸入した水を流通可能な第２流路３２が上下方向と交差する方向に延びて形成されており、第２流通路は、屈曲空間３１と連通している。
【００５９】
これにより、第１流路３０を越えて、周壁１５と第１外壁２３との間に形成された公差隙間２９Ｂを上昇し、更に周壁１５の上端部にまで上昇した水は、第２流路３２に達する。その後、水は、第２流路３２の内面に衝突して、第２流路３２の内面に沿って流れる。詳細には、水は、周壁１５の上端面、及び溝部２６の内面に衝突する。第２流路３２は屈曲空間３１に連通しているので、水は第２流路３２から屈曲空間３１内へと流れ込む。その後、水は上記と同様にして、流出口３３からケース１１外に流出する。これにより、ケース１１内に水が飛散することを更に抑制できる。
【００６０】
また、本実施形態においては、屈曲空間３１における周壁１５と第２外壁２４との間隔Ｏは、第１流路３０における周壁１５と第２外壁２４との間隔Ｎよりも広く形成されている。これにより、屈曲空間３１内に流れ込んだ水の圧力は、第１流路３０を流れる水の圧力と比べて小さくなる。これにより、水は屈曲空間３１内に滞留する。
【００６１】
一方、比較的に高圧の水が下ケース１１の周壁１５の外側面に噴射されると、その水は、跳ね返ることなく、周壁１５の外側面に沿って流れる。周壁１５の外側面に沿って流れる水のうち、周壁１５に形成された突部２２の下面に下方から衝突した水は、跳ね返ることなく、突部２２の下面に沿う方向（図７における紙面を貫通する方向）に沿って流れる。上記したように、突部２２の突出端面と第２外壁２４との間には流出口３３が形成されているので（図８参照）、流出口３３の近傍には、比較的に流速の速い水が流れるようになっている。
【００６２】
これにより、流出口３３の近傍において、周壁１５の外側面に沿って流れる水の流速は、屈曲空間３１内に滞留する水の流速に比べて速くなっている。この結果、流出口３３の内外において、周壁１５の外側面に沿って流れる水の圧力が、屈曲空間３１内に滞留する水の圧力よりも低くなる。すると、屈曲空間３１内に滞留していた水が、流出口３３から、圧力の低い外部へ流出しやすくなる。これにより、ケース１１内に水が飛散することを更に抑制できる。
【００６３】
また、図８において、周壁１５のうち突部２２の下方には、屈曲部２７に対応して、周壁１５が水平方向について屈曲されている。更に周壁１５の外面には、上記のように屈曲した部分において、曲面が形成されている。この曲面の曲率半径を小さくすると、周壁１５の外側面に沿って流れた水が、周壁１５が屈曲した部分において、周壁１５から離間する。周壁１５から離間した水は、周壁１５の外側面から外方（図８においては右方）へと流れて、流出口３３の近傍を通って流れる。周壁１５から離れて流れる水の流速は、周壁１５の外側面に沿って流れる水の流速に比べて速い。これにより、流出口３３の近傍を流れる水の流速が更に速くなるので、流出口３３の外部の水圧が更に低くなる。この結果、屈曲空間３１内に滞留した水の、流出口３３からの流出量を増大させることができる。
【００６４】
また、本実施形態においては、流出口３３における、周壁１５の突部２２と第２外壁２４との間隔Ｍは、屈曲空間３１における周壁１５と第１外壁２３との間隔Ｐよりも狭く形成されている。これにより、流出口３３から水がケース１１内に入り込むことを抑制できる。
【００６５】
また、本実施形態においては、上ケース１４の下端には、周壁１５の上端部に内嵌する内壁２５が形成されており、第１外壁２３と内壁２５とに囲まれた領域は下方に開口すると共に周壁１５の上端部が収容される溝部２６とされている。これにより、第１流路３０を越えて、周壁１５と第１外壁２３との間に形成された公差隙間２９Ｂにまで浸入した水が、周壁１５の上端部を越えて更にケース１１内に浸入した場合でも、水は、内壁２５によってそれ以上ケース１４内に浸入することを抑制される。これにより、電気接続箱１０の防水性を向上させることができる。
【００６６】
また、屈曲空間３１内に流れ込んだ水は、外壁１８に衝突することにより圧力の方向が変化する。このため、場合によっては、ケース１１内に水が浸入する方向の圧力が大きくなることが懸念される。上記の点に鑑み、本実施形態においては、屈曲部２７に対応する領域において、内壁２５は周壁１５の肉厚方向内方から周壁１５と密着している構成とした。これにより、屈曲空間３１内において、ケース１１内に浸入する方向について水の圧力が大きくなった場合でも、内壁２５が周壁１５と密着しているので、水がケース１１内に浸入することを確実に抑制することができる。
【００６７】
また、屈曲部２７に対応する領域において、周壁１５の上端部は溝部２６の天井面３４に下方から当接している。これにより、屈曲空間３１内において、ケース１１内に浸入する方向について水の圧力が大きくなった場合でも、周壁１５の上端部が溝部２６の天井面３４と密着しているので、水がケース１１内に浸入することを確実に抑制することができる。
【００６８】
また、本実施形態によれば、ケース１１内に水が飛散することが抑制される。この結果、本実施形態のように、電気部品１２を、上ケース１４のうち、周壁１５に外壁１８が外嵌する部分よりも上方の位置に配することにより、電気部品１２に水が付着することを確実に抑制できる。
【００６９】
＜実施形態２＞
次に、本発明の実施形態２を、図１３を参照しつつ説明する。本実施形態においては、流出口３３において、突部２２の突出端部と、第２外壁２４との間隔Ｑは、突部２２の突出端部と第２外壁２４との間に形成された公差隙間２９Ｂと略同じに形成されている。
【００７０】
上記以外の構成については、実施形態１と略同様なので、同一部材については同一符号を付し、重複する説明を省略する。
【００７１】
本実施形態によれば、流出口３３において、突部２２の突出端部と第２外壁２４との間隔Ｑが、突部２２の突出端部と第２外壁２４との間に形成された公差隙間２９Ａよりも広く形成されている場合に比べて、流出口３３から水がケース１１内に入り込むことを抑制できる。
【００７２】
＜他の実施形態＞
本発明は上記記述及び図面によって説明した実施形態に限定されるものではなく、例えば次のような実施形態も本発明の技術的範囲に含まれる。
（１）本実施形態においては、第１流路３０、及び第２流路３２は略水平方向に延びる構成としたが、これに限られず、第１流路３０、及び第２流路３２は、水平方向に対して角度を有して延びる構成としてもよい。また、第１流路３０の延びる方向と、第２流路３２の延びる方向とが異なる構成としてもよい。
（２）本実施形態においては、屈曲部２７は、外壁１８が水平方向について略直角に屈曲する構成としたが、これに限られず、屈曲部２７は、外壁１８が水平方向について鈍角的に屈曲する構成としてもよく、また、外壁１８が水平方向について鋭角的に屈曲する構成としてもよい。
（３）本実施形態においては、上ケース１４には４つの屈曲部２７が形成される構成としたが、これに限られず、屈曲部２７は、３つ、又は５つ以上形成される構成としてもよい。
（４）本実施形態においては、屈曲空間３１における周壁１５と外壁１８との間隔は、第１流路３０における周壁１５と外壁１８との間隔よりも広く設定される構成としたが、これに限られず、屈曲空間３１における周壁１５と外壁１８との間隔は、第１流路３０における周壁１５と外壁１８との間隔と同じでもよく、また、狭くてもよい。
（５）第１流路３０は、外壁１８が周壁１５から離間するように陥没して形成される構成としてもよく、また、周壁１５が外壁１８から離間するように陥没して形成される構成としてもよく、また、外壁１８及び周壁１５がお互いに離間するように陥没して形成される構成としてもよく、必要に応じて任意の形状としうる。
（６）本実施形態においては、１つの第１流路３０が形成される構成としたが、これに限られず、第１流路３０は、上下方向に複数段に並んで形成される構成としてもよい。
（７）第２流路３２は省略してもよい。
（８）内壁２５は省略してもよい。
（９）本実施形態においては、屈曲部２７に対応する領域において、内壁２５は周壁１５の肉厚方向内方から周壁１５と密着する構成としたが、これに限られず、内壁２５と周壁１５との間に隙間が形成される構成としてもよい。
（１０）本実施形態においては、屈曲部２７に対応する領域において、周壁１５の上端部は溝部２６の天井面３４に下方から当接する構成としたが、これに限られず、周壁１５の上端部と溝部２６との間に隙間が形成される構成としてもよい。
（１１）本実施形態においては、電気接続箱１０は車両のエンジンルーム内に配設される構成としたが、これに限られず、電気接続箱１０は、高圧洗車される際に比較的に高圧の水が噴射される任意の場所に配設される構成としてもよい。
【符号の説明】
【００７３】
１０…電気接続箱
１１…ケース
１２…電気部品
１３…下ケース
１４…上ケース
１５…周壁
１８…外壁
２２…突部
２３…第１外壁
２４…第２外壁
２５…内壁
２６…溝部
２７…屈曲部
２９…公差隙間
３０…第１流路
３１…屈曲空間
３２…第２流路
３３…流出口
３４…天井面
【図１】
0005394302.tif 000002
【図２】
0005394302.tif 000003
【図３】
0005394302.tif 000004
【図４】
0005394302.tif 000005
【図５】
0005394302.tif 000006
【図６】
0005394302.tif 000007
【図７】
0005394302.tif 000008
【図８】
0005394302.tif 000009
【図９】
0005394302.tif 000010
【図１０】
0005394302.tif 000011
【図１１】
0005394302.tif 000012
【図１２】
0005394302.tif 000013
【図１３】
0005394302.tif 000014
【図１４】
0005394302.tif 000015